(57)【特許請求の範囲】
【請求項１】
相隣接するパネル本体同士を回転可能に連結して構成したパネルの連結構造において、
２本のピンを相隣接する一方のパネル本体端部に設けると共に、このピンに対して回転可能且つ着脱可能な状態に嵌め合わされるピン保持部を他方のパネル本体端部に設け、一方のピンとピン保持部との嵌め合わせを解除した状態で、他方のピンを中心にパネル本体を回転させて折り畳みできるように連結することを特徴とするパネルの連結構造。
【請求項２】
前記ピンの回転中心が、相隣接するパネル本体表面の境界部上またはこの境界部よりパネル本体表面の外側に位置することを特徴とする請求項１記載のパネルの連結構造。
【請求項３】
前記パネルが筆記用ボードであることを特徴とする請求項１または２記載のパネルの連結構造。
【請求項４】
相隣接するパネル本体同士を回転可能に連結して構成したパネル連結部材において、
相隣接する一方のパネル本体端部に設けられると共に２本のピンを有する第一連結要素と、このピンに対して回転可能且つ着脱可能な状態に嵌め合わされるピン保持部を有すると共に他方のパネル本体端部に設けられる第二連結要素とから構成され、一方のピンをピン保持部内において回転させることにより、他方のピンとピン保持部との嵌め合わせを解除または嵌め合わせできることを特徴とするパネル連結部材。
【請求項５】
前記ピンの回転中心が、相隣接するパネル本体表面の境界部上またはこの境界部よりパネル本体表面の外側に位置することを特徴とする請求項４記載のパネル連結部材。
【請求項６】
前記パネルが筆記用ボードであることを特徴とする請求項４または５記載のパネル連結部材。
【発明の詳細な説明】
【０００１】
【発明の属する技術分野】
本発明は、相隣接するパネル本体に隙間を設けずに連結する際に好適に使用されるものである。
【０００２】
【従来の技術】
例えば、パネルの一種であるホワイトボードにおいて、床面に対して自立性のあるボード本体を横方向に複数枚折り畳み可能に連結し、収納時には折り畳んでコンパクトに収納できるようにすると共に、使用時には各ボード本体が面一になるように広げて大きな面板を形成できるようにしたものがある。
【０００３】
また、このような折り畳み式のホワイトボードは、折り畳み方向を一方向に限らずに、使用者に対して前方および後方のいずれの方向にも折り畳みできるものが望まれている。そこで従来のボード本体の連結構造としては、相隣接するボード本体の側端部に屏風蝶番を取付けてボード本体を両方向に折り畳みできるように構成したものが考えられている。
【０００４】
【発明が解決しようとする課題】
しかし、上述のような連結構造では、屏風蝶番を連結するボード本体間に設けなければ成らず、どうしても連結するボード本体間にその分の隙間を生じてしまう。一方、例えば、筆記用のホワイトボードのようなものは、連結個所において隙間が生じると文字等を連続して記入することができず、使い勝手が甚だ悪くなってしまい、また、外観上も優れているとは言えないという不具合があった。
【０００５】
そこで、本発明は上記課題に着目してなされたものであり、前後両方に折り畳めるようにしたパネルにおいて、連結個所に隙間を設けることなく連続した面板を形成できるものを提供することを目的とする。
【０００６】
【課題を解決するための手段】
そこで、本発明のパネル連結構造は、上記課題を解決するために、一方のパネル本体に設けた２本のピンを、他方のパネル本体に設けたピン保持部に回転可能且つ着脱可能な状態に嵌め合わした状態で相隣接するパネル本体同士を連結し、一方のピンとピン保持部との嵌め合わせを解除した状態で、他方のピンを中心にパネル本体を回転させて折り畳みできるように連結している。
【０００７】
これにより、相隣接するパネル本体を、いずれの方向に折り畳みできるように連結したものにおいても、パネル本体の連結面に連結部材を設けずに連結する構成とできるようにすることで、両パネル本体間に隙間をなくすと共に簡易な構造で連結することができるようにする。
【０００８】
また、前記ピンの回転中心を、相隣接するパネル本体表面の境界部上またはこの境界部よりパネル本体表面の外側に位置させることにより、パネル本体を回転させるために端部を円弧状に加工するなどの手間をかけずに、パネル本体を平面視矩形とし状態で、連続した面板部を簡易な構造において実現できるようにしている。
【０００９】
更に、前記パネルが筆記用ボードである場合には、連結個所においても文字等を連続して記載をすることができ、特に好適に適用できるものである。
【００１０】
【発明の実施の形態】
以下、本発明の一実施形態を図面を参照して説明する。図１は、筆記用ボードであるホワイトボード１００の外観斜視図を示したものであり、図３は、複数のボード本体１・２・３を連結するボード連結部材４の斜視図を示したものである。また、図４は、そのボード連結部材４の平面図を表している。
【００１１】
このホワイトボード１００は、左ボード本体１と中央ボード本体２と右ボード本体３とを具備してなり、左ボード本体１と中央ボード本体２との境界部分である上端部及び下端部のおよび右ボード本体３と中央ボード本体２との境界部分である上端部及び下端部に後述するボード連結部材４を取り付けて各々のボード本体を折り畳み可能に連結したものである。
【００１２】
この左ボード本体１、中央ボード本体２、右ボード本体３のうち、左ボード本体１と右ボード本体３は対称形状に構成され、また中央ボード本体２は、この左ボード本体１および右ボード本体３に設けられた脚部１４・２４・３４を除いて同様に構成されるものである。また、各ボード本体１・２・３の構成としては、図２に示すように、脚部１４・２４・３４と、この脚部１４・２４・３４によって支持される枠体１０・２０・３０と、これら枠体１０・２０・３０の内部に設けられる図示しないペーパーコアと、このペーパーコアおよび枠体１０・２０・３０上に取り付けられる表側使用面１８ｆ・２８ｆ・３８ｆおよび裏側使用面１８ｂ・２８ｂ・３８ｂとを有してなるものである。
【００１３】
この枠体１０・２０・３０は、鉛直方向に対向して設けられた縦フレーム１１・２１・３１と、この縦フレーム１１・２１・３１の上下両端部に跨って設けられた上部フレーム１３・２３・３３および下部フレーム１２・２２・３２とによって構成されるものであり、平均的な大人の体格などを考慮して縦フレーム１１・２１・３１、上部フレーム１３・２３・３３および下部フレーム１２・２２・３２の寸法を設定したものである。この下部フレーム１２・２２・３２と縦フレーム１１・２１・３１は、断面を略長方形状にした中空状の金属部材によって構成されており、これによって軽量化を図るようにしている。
【００１４】
また、このように構成された左ボード本体１および右ボード本体３の枠体１０・３０に設けられた脚部１４・３４は、この枠体１０・３０を構成するフレームと同一の断面形状を有する縦脚フレーム１５・３５の下端に、キャスタ１６・３６を取り付けて構成したものである。更に、中央ボード本体２の枠体２０に設けられた脚部２４は、前記枠体２０を構成するフレームと同一の断面形状を有する縦脚フレーム２５に、キャスタ２７を有する水平脚フレーム２６を取り付けて構成したものである。そして、これらの左ボード本体１、中央ボード本体２、右ボード本体３に設けられた脚部１４・２４・３４は、各ボード本体を折り畳んだ際に互いの脚部１４・２４・３４が干渉しないような位置および大きさに設定されている。
【００１５】
また、これらの脚部１４・２４・３４によって支持された枠体１０・２０・３０には、その枠体１０・２０・３０で囲まれる内部全面にわたって各フレームと同じ厚み幅を有するペーパーコアを取り付けており、更に、このペーパーコアや縦フレーム１１・２１・３１、上部フレーム１３・２３・３３、下部フレーム１２・２２・３２を表側および裏側から挟み込むように使用面１８ｆ・１８ｂ・２８ｆ・２８ｂ・３８ｆ・３８ｂを取り付けている。
【００１６】
この使用面１８ｆ・１８ｂ・２８ｆ・２８ｂ・３８ｆ・３８ｂは、図示しない揮発性の筆記具を用いて書き込み可能に構成されたフィルムをスチール板の表面に設けたものであり、このようにスチール板を設けることによって表面を滑らかにするとともに、マグネット製の部品などを取り付けられるようにしている。また、この使用面１８ｆ・１８ｂ・２８ｆ・２８ｂ・３８ｆ・３８ｂは、縦フレーム１１・２１・３１、上部フレーム１３・２３・３３、下部フレーム１２・２２・３２およびペーパーコアに適宜接着剤などを用いて表側および裏側に取り付けられるようにしている。
【００１７】
更に、以上のように構成された各ボード本体１・２・３は、その上端部及び下端部にボード連結部材４を取りつけて、各々折り畳み可能に連結している。
【００１８】
このボード連結部材４は、図１に示すように、一方のボード本体の上面１ａ、２ａの右側端部１ｄ、２ｄ及び下面１ｃ、２ｃの右側端部１ｆ、２ｆに取り付けられる第一連結要素４１と、他方のボード本体の上面２ａ、３ａの左側端部２ｅ、３ｅ及び下面２ｃ、３ｃの左側端部２ｇ、３ｇに取り付けられる第二連結要素４２とから構成される。
【００１９】
この第一連結要素４１は、図３に示すように、受け台４１３と、この受け台４１３の上面に固着される２本の第一ピン４１１、第二ピン４１２を有し、この第一ピン４１１、第二ピン４１２により前記第二連結要素４２と連結されている。この受け台４１３は、平板状のものであり、ボード本体の奥行き幅よりも僅かに幅広の奥行き幅を有しており、その右側部の前後対称位置に前記第一ピン４１１、第二ピン４１２を設けている。この第一ピン４１１、第二ピン４１２は、前記受け台４１３の厚みと略同じ厚みを有する変形円柱形状を成し、図４に示すように、その中心Ｏ１、Ｏ２を相隣接するボード本体の連結端７、つまり前面及び後面と側面とのコーナー部分上に位置するように前記受け台４１３に設けることで、この中心Ｏ１、Ｏ２を軸に前記ボード本体を回転できるようにしている。また、その外周面は、平面視において異なる二種類の半径を有する外周面から構成されており、一方は、その第一ピン４１１または第二ピン４１２自身の中心Ｏ１、Ｏ２を中心点として半径Ｒ１を有する小径の第一外周部４１１ｂ、４１２ｂであり、その他の面は、他方のピン４１２、４１１の中心Ｏ２、Ｏ１を中心点として他方のピンの前記第一外周部４１１ｂ、４１２ｂの円弧状に達する長さである半径Ｒ２を有する大径の第二外周部４１１ａ、４１２ａを成している。
【００２０】
この第一ピン４１１、第二ピン４１２を回転可能に嵌め合わす第二連結要素４２は、第一連結要素４１と略同様の厚みを有するスペーサー４３を介してボード本体の上面２ａ、３ａおよび下面２ｃ、３ｃの左側端部に取りつけられており、その下面を第一連結要素４１の上面に重ね合わされた状態に設けられている。この第二連結要素４２は、前記第一ピン４１１、第二ピン４１２に対して回転可能且つ着脱可能な状態に嵌め合わされる第一ピン保持部４２１および第二ピン保持部４２２を前後対称位置に設けており、一方のピンとピン保持部との嵌め合わせを解除した状態で、他方のピンを中心にボード本体を回転させて折り畳みできるようにしている。この第一ピン保持部４２１、第二ピン保持部４２２は、３種類の異なる半径を有する内周部により構成されている。第一保持部４２１について説明すると、まず、前記第一ピン４１１の第一外周部４１１ｂと略同様の中心Ｏ１及び半径Ｒ１を有する第一内周部４２１ｂを有しており、前記第一ピン４１１をこの第一内周部４２１ｂに沿って回転できるようにしている。更に、前記第一ピン４１１の第二外周部４１１ａと略同様の中心Ｏ２及び半径Ｒ２をし、同一の回転軌道に沿った第二内周部４２１ｃを有している。また、この第二内周部４２１ｃと同様の中心Ｏ２を有し、前記第二内周部４２１ｃ及び第三内周部４２１ａとの間を通って第一ピン４１１を水平面に沿って進退できる間隔を保つ長さの半径Ｒ３を有する第三内周部４２１ａから構成している。そして、この第三内周部４２１ａおよび第二内周部４２１ｃに沿って前記第一ピン４１１を水平方向に着脱できるようにしている。
【００２１】
次に、第二保持部４２２について説明すると、まず、前記第二ピン４１２の第一外周部４１２ｂと略同様の中心Ｏ２及び半径Ｒ１を有する第一内周部４２２ｂを有しており、前記第二ピン４１２をこの第一内周部４２２ｂに沿って回転できるようにしている。更に、前記第二ピン４１２の第二外周部４１２ａと略同様の中心Ｏ１及び半径Ｒ２をし、同一の回転軌道に沿った第二内周部４２２ｃを有している。また、この第二内周部４２２ｃと同様の中心Ｏ１を有し、前記第二内周部４２２ｃ及び第三内周部４２２ａとの間を通って第二ピン４１２を水平面に沿って進退できる間隔を保つ長さの半径Ｒ３を有する第三内周部４２２ａから構成している。そして、この第三内周部４２２ａおよび第二内周部４２２ｃに沿って前記第二ピン４１２を水平方向に着脱できるようにしている。
【００２２】
そして、第二内周部４２１ｃ、４２２ｃと第三内周部４２１ａ、４２２ａをそれぞれ円弧状に設けることによって、左右方向へのボード本体の抜けを防止している。
【００２３】
次に、このように構成されたホワイトボード１００を、図７に示すような各ボード本体を展開した状態から、図９に示すように折り畳むまでの工程について説明する。
【００２４】
まず、図７に示すように、ホワイトボード１００使用時には、右ボード本体３、中央ボード本体２、左ボード本体１を展開させた状態としており、図１に示すように、ボード連結部材４を介して各々のボード本体を側面部１ｂ、２ｂ、３ｂが接触する状態で連結している。詳述すると、図４に示すように、第一連結要素４１に設けられた第一ピン４１１および第二ピン４１２が、それぞれ第一ピン保持部４２１および第二ピン保持部４２２に保持されており、右ボード本体３、中央ボード本体２、左ボード本体１を面一に且つ隙間がない状態に展開して連結している。
【００２５】
そして、ホワイトボード１００の非使用時には、図８、図９に示すように、左ボード本体１を中央ボード２に対して後方に、右ボード本体３を中央ボード２に対して前方に折り畳み、コンパクトに収納する。具体的に、右ボード本体３を中央ボード本体２の前方に折り畳む際の工程について説明する。まず、図５に示すように、右ボード本体３を手前方向に回転させて第一ピン４１１の中心Ｏ１を支点に右ボード本体３を折り畳む。つまり、第一ピン保持部４２１の第一内周面に沿って、第一ピン４１１の有する第一外周面４１１ｂを第一ピン保持部４２１内にガイドさせながら回転させると同時に、第二ピン保持部４２２の有する第二内周面４２２ｃに沿って第二ピン４１２の有する第二外周面４２２ａをガイドさせて第二ピン４１２を第二ピン保持部４２２から外す。そして、更に第一ピン４１１の中心Ｏ１を支点に手前方向に回転させて図６に示すように、ボード本体同士が当たる位置まで折り畳む。一方、左ボード本体１を中央ボード本体２の後方に折り畳む際には、第一ピン４１１を第一ピン保持部４２１から外し、第二ピン４１２の中心軸Ｏ２を支点に左ボード本体１を回転させて折り畳む。
【００２６】
また、前述においては右ボード本体３を中央ボード２に対して前方に折り畳み、コンパクトに収納したが、この右ボード本体３を中央ボード本体２の後方に回転させて折り畳むこともできる。具体的には、まず右ボード本体３を後方に回転させて第二ピン４１２の中心Ｏ２を支点に右ボード本体３を折り畳む。つまり、第二ピン保持部４２２の第一内周面に沿って、第二ピン４１２の有する第一外周面４１２ｂを第二ピン保持部４２２内にガイドさせながら回転させると同時に、第一ピン保持部４２１の有する第二内周面４２１ｃに沿って第一ピン４１１の有する第二外周面４１１ｂをガイドさせて第一ピン４１１を第一ピン保持部４２１から外す。そして、更に第二ピン４１２の中心Ｏ２を支点に後方に回転させて、ボード本体同士が当たる位置まで折り畳むこともできる。
【００２７】
更に、図９のように折り畳んだ状態から展開する際には、第一ピン４１１の中心Ｏ１を支点に左ボード本体１を回転させて展開し、第二ピン保持部４２２の有する第二内周面４２２ｃに沿って第二ピン４１２の有する第二外周面４１１ａをガイドさせて第二ピン４１２を第二ピン保持部４２２に嵌めこむ。
【００２８】
このように上記実施の形態によれば、これにより、相隣接するボード本体１、２、３を、前後両方向に折り畳みできるように連結したものにおいても、ボード本体１、２、３の連結面１ｂ、２ｂ、３ｂにボード連結部材４を設けずに連結する構成とすることができ、両ボード本体間に隙間をなくすと共に簡易な構造で連結することができる。
【００２９】
加えて、前記ピンの回転中心を、相隣接するボード本体表面の境界部上またはこの境界部よりパネル本体表面の外側に位置させることにより、ボード本体を回転させるために側端部を円弧状に加工するなどの手間をかけずに、ボード本体を平面視矩形とし状態で、連続した面板部を簡易な構造において実現できる。
【００３０】
更に、前記ホワイトボード１００を使用する際に盤面が面一で隙間なく連結されているため、文字等を途切させることなくスムーズに書きこむことができる。
【００３１】
また、上記実施の形態では、各ボード本体１・２・３に設けられた脚部１４・２４・３４を、折り畳み時に互いに干渉しないような位置および形状に構成したので、各ボード本体を完全に折り畳むことができ、これによってより省スペース化を図ることができる。
【００３２】
なお、本発明は上記実施の形態に限定されることなく、種々変更することができる。例えば、上記実施の形態では、左右方向に折り畳めるホワイトボード１００について説明したが、上下方向に折り畳めるように構成してもよい。また、上記実施の形態では、ホワイトボード１００について説明しているが、コピーボードや、黒板などにも適用できる。
【００３３】
【発明の効果】
本発明は、相隣接するパネル本体同士を折り畳み可能に連結するパネルの連結構造において、２本のピンを相隣接する一方のパネル本体端部に設けると共に、このピンに対して回転可能且つ着脱可能な状態に嵌め合わされるピン保持部を他方のパネル本体端部に設け、一方のピンとピン保持部との嵌め合わせを解除した状態で、他方のピンを中心にパネル本体を回転させて折り畳みできるように連結する。
【００３４】
これにより、相隣接するパネル本体を、前後両方向に折り畳みできるように連結したものにおいても、パネル本体の連結面に連結部材を設けずに連結する構成とできるようにすることで、両パネル本体間に隙間をなくすと共に簡易な構造で連結することができる。
【００３５】
また、前記ピンの回転中心を、相隣接するパネル本体表面の境界部上またはこの境界部よりパネル本体表面の外側に位置させることにより、パネル本体を回転させるために端部を円弧状に加工するなどの手間をかけずに、パネル本体を平面視矩形とし状態で、連続した面板部を簡易な構造において実現できる。
【００３６】
更に、前記パネルが筆記用ボードである場合に、連結個所においても連続した書きこみを可能として使い勝手の良いものとできる。
【図面の簡単な説明】
【図１】本発明の一実施の形態を示すホワイトボードの外観斜視図。
【図２】図１における使用面及びペーパーコアを取り外した状態を示す外観斜視図。
【図３】同実施の形態におけるパネル連結部材を示す斜視図。
【図４】同実施の形態におけるボード連結部材を示す平面図。
【図５】同実施の形態におけるボード連結部材を示す平面図。
【図６】同実施の形態におけるボード連結部材を示す平面図。
【図７】同実施の形態におけるホワイトボードを示す平面図。
【図８】同実施の形態におけるホワイトボードを示す平面図。
【図９】同実施の形態におけるホワイトボードを示す平面図。
【符号の説明】
１・・・パネル本体（左ボード本体）
１ｄ、１ｆ、２ｄ、２ｆ、・・・パネル本体端部（右側端部）
２・・・パネル本体（中央ボード本体）
２ｅ、２ｇ、３ｅ、３ｇ・・・パネル本体端部（左側端部）
３・・・パネル本体（右ボード本体）
４・・・パネル連結部材（ボード連結部材）
７・・・境界部
４１・・・第一連結要素
４２・・・第二連結要素
１００・・・パネル（ホワイトボード）
４１１・・・ピン（第一ピン）
４１２・・・ピン（第二ピン）
４２１・・・ピン保持部（第一ピン保持部）
４２２・・・ピン保持部（第二ピン保持部）
Ｏ１、Ｏ２・・・回転中心
【図１】
0004614599.tif 000002
【図２】
0004614599.tif 000003
【図３】
0004614599.tif 000004
【図４】
0004614599.tif 000005
【図５】
0004614599.tif 000006
【図６】
0004614599.tif 000007
【図７】
0004614599.tif 000008
【図８】
0004614599.tif 000009
【図９】
0004614599.tif 000010